(57)【要約】【課題】鮮明な光が得られる照明装置を提供する。【解決手段】照明装置１０は、透光性を有し、天井に設けられた開口部に配置される板状部材２０と、天井５０の上方に配置され、板状部材２０を介して室内に光を投射する光源部３０と、板状部材２０の曇りを抑制する曇り抑制部とを備える。曇り抑制部は、例えば、板状部材２０に設けられた曇り止めコート層４０である。【選択図】図２
2017107778.tif 000002
【特許請求の範囲】
【請求項１】
透光性を有し、天井に設けられた開口部に配置される板状部材と、
前記天井の上方に配置され、前記板状部材を介して室内に光を投射する光源部と、
前記板状部材の曇りを抑制する曇り抑制部とを備える
照明装置。
【請求項２】
前記曇り抑制部は、前記板状部材の表面に設けられたコート層である
請求項１に記載の照明装置。
【請求項３】
前記コート層は、紫外線及び赤外線の少なくとも一方を吸収して発熱する
請求項２に記載の照明装置。
【請求項４】
前記光源部が発する光には、紫外線及び赤外線の少なくとも一方が含まれ、
前記コート層は、前記光源部が発する光に含まれる、紫外線及び赤外線の少なくとも一方を吸収して発熱する
請求項３に記載の照明装置。
【請求項５】
前記曇り抑制部は、前記光源部が発する熱によって前記板状部材を温めることにより、前記板状部材の曇りを抑制する
請求項１に記載の照明装置。
【請求項６】
前記曇り抑制部は、前記板状部材が取り付けられる開口部を有し、かつ、前記光源部を収容する筐体である
請求項４に記載の照明装置。
【請求項７】
前記曇り抑制部は、前記光源部から前記板状部材に向かう風を発生させる送風装置である
請求項４に記載の照明装置。
【請求項８】
前記板状部材は、ハーフミラー層を含む
請求項１〜７のいずれか１項に記載の照明装置。
【請求項９】
前記光源部が発する光の光軸の、前記板状部材への入射角は、鋭角である
請求項１〜８のいずれか１項に記載の照明装置。
【請求項１０】
前記光源部は、照明光を発し、
前記板状部材は、前記光源部が発する照明光を透過及び散乱し、
前記散乱により得られる光の色温度は、前記透過により得られる光の色温度よりも高い
請求項１〜９のいずれか１項に記載の照明装置。
【請求項１１】
前記光源部は、経時的に変化する照射パターンを有する光を投射する
請求項１〜９のいずれか１項に記載の照明装置。
【請求項１２】
前記光源部は、文字情報を含む照射パターンを有する光を投射する
請求項１〜９のいずれか１項に記載の照明装置。
【請求項１３】
前記板状部材は、前記天井に設けられた前記開口部に着脱可能に取り付けられる
請求項１〜５のいずれか１項に記載の照明装置。
【請求項１４】
請求項１〜１３のいずれか１項に記載の照明装置と、
前記天井とを備える
浴室。
【発明の詳細な説明】
【技術分野】
【０００１】
本発明は、浴室などで用いられる照明装置に関する。
【背景技術】
【０００２】
従来、住宅において使用される様々な機器が提案されている。特許文献１には、ミラー機能と情報表示機能とが得られる住宅用鏡装置が開示されている。住宅用鏡装置は、例えば、浴室に設置される。
【先行技術文献】
【特許文献】
【０００３】
【特許文献１】特開２００３−６１７９７号公報
【発明の概要】
【発明が解決しようとする課題】
【０００４】
ところで、浴室などの湿度の高いところで照明装置が使用されるときには、光の出射部が曇ることにより、鮮明な光が得られない場合がある。
【０００５】
そこで、本発明は、鮮明な光が得られる照明装置、及び、当該照明装置を備える浴室を提供する。
【課題を解決するための手段】
【０００６】
本発明の一態様に係る照明装置は、透光性を有し、天井に設けられた開口部に配置される板状部材と、前記天井の上方に配置され、前記板状部材を介して室内に光を投射する光源部と、前記板状部材の曇りを抑制する曇り抑制部とを備える。
【０００７】
本発明の一態様に係る浴室は、前記照明装置と、前記天井とを備える。
【発明の効果】
【０００８】
本発明の照明装置及び浴室によれば、鮮明な光が得られる。
【図面の簡単な説明】
【０００９】
【図１】図１は、実施の形態１に係る浴室の外観図である。
【図２】図２は、実施の形態１に係る浴室が備える照明装置の概略構成を示す図である。
【図３】図３は、光源部の具体的な構成を示す図である。
【図４】図４は、実施の形態２に係る照明装置の概略構成を示す図である。
【図５】図５は、実施の形態３に係る照明装置の概略構成を示す図である。
【図６】図６は、実施の形態４に係る照明装置の概略構成を示す図である。
【図７】図７は、実施の形態４に係る板状部材の光の散乱特性を説明するための図である。
【発明を実施するための形態】
【００１０】
以下、実施の形態について、図面を参照しながら具体的に説明する。
【００１１】
なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態１）
［概略構成］
まず、実施の形態１に係る照明装置、及び、当該照明装置を備える浴室の概略構成について説明する。図１は、実施の形態１に係る浴室の外観図である。図２は、実施の形態１に係る浴室が備える照明装置の概略構成を示す図である。
【００１４】
図１及び図２に示されるように、実施の形態１に係る浴室１００は、照明装置１０と、天井５０とを備える。照明装置１０は、光源部３０と、板状部材２０とを備える。
【００１５】
光源部３０は、天井５０に設けられた開口部にはめ込まれた板状部材２０を介して浴室１００内に光を投射する。光源部３０は、具体的には、浴室１００の壁面に光を投射する。なお、天井５０に設けられた開口部として、既存の点検口などが利用されてもよい。
【００１６】
ここで、光源部３０が投射する光は、照明として用いられてもよいし、照射パターン２５を有してもよい。例えば、光源部３０は、照射パターン２５として動画像を浴室１００の壁面に投射する。これにより、浴室１００を利用するユーザは、浴室１００内で動画像を楽しむことができる。なお、照射パターン２５は、静止画であってもよい。照射パターン２５は、撮影された画像（動画像または静止画像）であってもよいし、撮影された画像ではない人工的に作られたパターン（模様）であってもよい。照射パターン２５は、木漏れ日を模したパターンなど、撮影された画像に基づいて作成されたパターンであってもよい。
【００１７】
ここで、照射パターン２５には、文字情報２６が含まれてもよい。図１の例では、照射パターン２５には、浴槽内の湯の温度を示す文字情報２６が含まれる。これにより、ユーザは、文字情報２６に応じて浴槽内の湯の温度の情報を得ることができる。
【００１８】
なお、文字情報２６は、浴室１００を利用するユーザのバイタルセンシング情報であってもよい。バイタルセンシング情報は、例えば、ユーザの体温、心拍数、及び、血圧などである。また、文字情報２６は、正しい入浴方法など、ユーザを案内するためのガイド情報であってもよい。文字情報２６は、日付情報または時刻情報であってもよい。
【００１９】
以上説明したように、特に、光源部３０が投射する光が照射パターン２５を有するときには、板状部材２０が曇ると、照射パターン２５が不鮮明になってしまう。
【００２０】
そこで、照明装置１０は、板状部材２０の表面に、曇り止めコート層４０を備える。これにより、浴室１００を利用するユーザは、鮮明な照射パターン２５を得ることができる。つまり、浴室１００を利用するユーザは、鮮明な光を得ることができる。
【００２１】
以下、照明装置１０を構成する各構成要素について、引き続き図１及び図２を参照しながら詳細に説明する。
【００２２】
［板状部材］
板状部材２０は、天井５０に設けられた開口部に配置される、透光性を有する平板状の部材である。板状部材２０は、具体的には、天井５０に設けられた開口部に対応する形状及び大きさであって、当該開口部にはめ込まれる。なお、板状部材２０は、天井５０に設けられた開口部よりも大きく、当該開口部を塞ぐように配置されてもよい。このとき、板状部材２０は、天井５０の室内側に配置されて上記開口部を塞いでもよいし、天井裏側に配置されて上記開口部を塞いでもよい。
【００２３】
板状部材２０の平面視形状は、矩形であるが、円形など、その他の形状であってもよい。図１及び図２に示されるように、板状部材２０が天井５０に設けられた開口部にはめ込まれるときには、板状部材２０は、当該開口部に応じた形状であればよい。
【００２４】
板状部材２０は、具体的には、透明のアクリル板であるが、ガラス板であってもよい。板状部材２０は、透光性を有するのであればどのような材料により形成されてもよい。なお、板状部材２０は、ハーフミラー層を含んでもよい。これにより、光源部３０が光を発していないときには、板状部材２０は、浴室１００内からは鏡のように見えるため、天井裏が透けて見えてしまうことが抑制される。つまり、浴室１００内の雰囲気を損なうことが抑制される。
【００２５】
板状部材２０の下面には、曇り止めコート層４０が設けられる。曇り止めコート層４０は、曇り抑制部の一例であって、板状部材２０の下面（室内側の面）が曇ることを抑制する。曇り止めコート層４０は、具体的には、紫外線及び赤外線の少なくとも一方を吸収して発熱するコート層である。このようなコート層は、例えば、基材である樹脂に、紫外線吸収材及び赤外線吸収材の少なくとも一方が加えられることにより形成される。赤外線吸収材および紫外線吸収材は、例えば、金属酸化物の微粒子である。
【００２６】
このような曇り止めコート層４０が採用される場合、光源部３０が発する光には、赤外線及び紫外線の少なくとも一方が含まれるとよい。これにより、照明装置１０は、光源部３０が発する光を利用して板状部材２０の曇り止めを行うことができる。
【００２７】
なお、曇り止めコート層４０は、紫外線及び赤外線の少なくとも一方を吸収して発熱する構成に限定されず、板状部材２０の曇りを抑制できるのであれば、撥水性を有するコート層など、その他のコート層が用いられてもよい。
【００２８】
曇り止めコート層４０は、塗料の塗布により形成されてもよいし、シートの貼り付けによって形成されてもよい。また、曇り止めコート層４０は、板状部材２０の下面だけでなく、板状部材２０の上面にも設けられてもよいし、板状部材２０の全面を覆ってもよい。
【００２９】
このような曇り止めコート層４０が形成されることにより、浴室１００を利用するユーザは、鮮明な照射パターン２５を得ることができる。
【００３０】
［光源部］
光源部３０は、天井５０の上方に配置され、板状部材２０を介して浴室１００内に光を投射する。図２の例では、光源部３０は、天井裏の空間を構成する上側の構造体に設けられているが、天井５０に載置されていてもよい。
【００３１】
図２に示されるように、光源部３０が発する光の光軸Ｊの、板状部材２０への入射角は、鋭角であるとよい。これにより、ユーザが浴室１００内から板状部材２０を見上げたときに光源部３０が直接見えにくいため、まぶしさを低減することができる。
【００３２】
光源部３０は、経時的に変化する照射パターン２５を有する光（例えば、画像）を投射することができる。以下、光源部３０の具体的な構成について説明する。図３は、光源部３０の具体的な構成を示す図である。
【００３３】
図３に示されるように、光源部３０は、白色光源３１と、コリメートレンズ３２ａと、インテグレータレンズ３３と、偏光ビームスプリッタ３４と、集光レンズ３５と、コリメートレンズ３２ｂとを備える。また、光源部３０は、入射側偏光素子３６ａと、映像素子３７と、出射側偏光素子３６ｂと、投射レンズ３８とを備える。また、光源部３０は、取得部３９ａと、制御部３９ｂとを備える。
【００３４】
白色光源３１は、白色の光を発する光源である。白色光源３１は、例えば、白熱ランプ、放電ランプ（蛍光ランプを含む）、発光ダイオード（ＬＥＤ）、半導体レーザー、有機ＥＬ（Ｅｌｅｃｔｒｏ  Ｌｕｍｉｎｅｓｃｅｎｃｅ）、または無機ＥＬ等の固体発光素子を用いた光源である。
【００３５】
白色光源が発した光は、コリメートレンズ３２ａにおいて平行化され、インテグレータレンズ３３によって、照度分布が均一化される。そして、照度分布が均一化された光は、偏光ビームスプリッタ３４によって直線偏光の光に変換される。ここでは、照度分布が均一化された光は、一例として、Ｐ偏光の光に変換されるものとする。
【００３６】
Ｐ偏光に変換された光は、集光レンズ３５に入射し、さらにコリメートレンズ３２ｂによって平行化されて入射側偏光素子３６ａに入射する。
【００３７】
入射側偏光素子３６ａは、映像素子３７に向かって入射する光を偏光させる偏光板（偏光制御素子）である。また、出射側偏光素子３６ｂは、映像素子３７から出射する光を偏光させる偏光板である。
【００３８】
入射側偏光素子３６ａに入射した光は、当該入射側偏光素子３６ａがＰ偏光の光を透過するため映像素子３７に入射し、映像素子３７に表示された映像に応じて光変調されて出射される。
【００３９】
映像素子３７は、入射した光を映像信号に応じた光に変換して出力する略平面状の素子である。映像素子３７は、具体的には、透過型液晶パネルであり、入射した光を映像信号に応じたＳ偏光の光に変換して出力する。
【００４０】
出射側偏光素子３６ｂは、入射側偏光素子３６ａとは異なり、Ｓ偏光の光のみを透過する。したがって、光変調されたＳ偏光の光は、出射側偏光素子３６ｂを通過し、投射レンズ３８に入射する。この結果、投射レンズ３８によって映像に応じて変調された光、つまり、照射パターン２５が投射される。投射レンズ３８は、光を対象物に投射するためのレンズであり、言い換えれば、光を対象物に結像させるために用いられるレンズである。
【００４１】
取得部３９ａは、映像信号を取得する。映像信号は、例えば、パーソナルコンピュータ、クラウドサーバ、または、映像信号が記録された記録媒体などから取得される。
【００４２】
また、取得部３９ａは、浴槽の温度情報、浴室１００を利用するユーザのバイタルセンシング情報など、文字情報２６の基礎となる情報を取得する。浴槽の温度情報は、例えば、浴槽に設けられた温度センサから取得される。バイタルセンシング情報は、例えば、ユーザの体に装着されたウェアラブル端末などから取得される。
【００４３】
取得部３９ａは、具体的には、通信インターフェースまたは通信回路であり、取得部３９ａの情報の取得には、有線または無線の通信が用いられる。なお、通信に用いられる通信プロトコルは、特に限定されない。
【００４４】
制御部３９ｂは、白色光源３１及び映像素子３７を制御する制御装置である。制御部３９ｂは、例えば、白色光源３１の点灯、消灯、及び明るさを制御する。また、制御部３９ｂは、取得部３９ａによって取得された映像信号及び文字情報２６の基礎となる情報に基づいて映像素子３７の光の変調を制御する。これにより、図１に示されるように浴室１００の壁面に画像（照射パターン２５）が投射される。
【００４５】
なお、制御部３９ｂは、映像素子３７を制御することにより、単色光を投射することもできる。つまり、照射パターン２５を有しない照明光（白色光）を照射することもできる。
【００４６】
制御部３９ｂは、具体的には、プロセッサ、マイクロコンピュータ、または、専用回路などにより実現される。
【００４７】
なお、光源部３０には、いわゆる単板式の光学系が採用されているが、３板式の光学系が用いられてもよい。また、光源部３０には、カラーホイールを含む光学系が用いられてもよい。また、光源部３０には、映像素子３７として透過型の映像素子が用いられているが、反射型の映像素子が用いられてもよい。反射型の映像素子は、例えば、マイクロミラーアレイまたは反射型液晶パネル（ＬＣＯＳ：Ｌｉｑｕｉｄ  Ｃｒｙｓｔａｌ  Ｏｎ  Ｓｉｌｉｃｏｎ）である。
【００４８】
［効果等］
以上説明したように、照明装置１０は、透光性を有し、天井５０に設けられた開口部に配置される板状部材２０と、天井５０の上方に配置され、板状部材２０して室内に光を投射する光源部３０と、板状部材２０の曇りを抑制する曇り止めコート層４０とを備える。曇り止めコート層４０は、曇り抑制部として機能する、板状部材２０の表面に設けられたコート層の一例である。
【００４９】
これにより、板状部材２０の曇りが抑制されるため、照明装置１０を利用するユーザは、鮮明な光を得ることができる。
【００５０】
また、曇り止めコート層４０は、紫外線及び赤外線の少なくとも一方を吸収して発熱するコート層であってもよい。
【００５１】
これにより、曇り止めコート層４０は、紫外線及び赤外線を吸収することで、板状部材２０の曇りを抑制することができる。
【００５２】
また、光源部３０が発する光には、紫外線及び赤外線の少なくとも一方が含まれ、曇り止めコート層４０は、光源部３０が発する光に含まれる、紫外線及び赤外線の少なくとも一方を吸収して発熱してもよい。
【００５３】
これにより、曇り止めコート層４０は、光源部３０が発する光を利用して板状部材２０の曇りを抑制することができる。
【００５４】
また、板状部材２０は、ハーフミラー層を含んでもよい。
【００５５】
これにより、光源部３０が光を発していないときには、板状部材２０は、浴室１００内からは鏡のように見えるため、天井裏が透けて見えてしまうことが抑制される。つまり、浴室１００内の雰囲気を損なうことが抑制される。
【００５６】
また、光源部３０が発する光の光軸の、板状部材２０への入射角は、鋭角であってもよい。
【００５７】
これにより、ユーザが浴室１００内から板状部材２０を見上げたときに光源部３０が直接見えにくいため、まぶしさを低減することができる。
【００５８】
また、光源部３０は、経時的に変化する照射パターン２５を有する光を投射してもよい。
【００５９】
これにより、浴室１００を利用するユーザは、浴室１００内で経時的に変化する照射パターン２５を楽しむことができる。経時的に変化する照射パターン２５は、例えば、動画である。
【００６０】
また、光源部３０は、文字情報２６を含む照射パターン２５を有する光を投射してもよい。
【００６１】
これにより、ユーザは、文字情報２６に応じた情報を得ることができる。
【００６２】
また、浴室１００（ユニットバス）は、照明装置１０と、天井５０とを備える。
【００６３】
これにより、板状部材２０の曇りが抑制されるため、浴室１００を利用するユーザは、鮮明な光を得ることができる。
【００６４】
（実施の形態２）
曇り抑制部は、板状部材２０の曇りを抑制するための部材または構造であればよく、曇り止めコート層４０に限定されない。例えば、曇り抑制部は、光源部３０が発する熱によって板状部材２０を温めることにより、板状部材２０の曇りを抑制してもよい。
【００６５】
具体的には、曇り抑制部は、光源部３０を収容する筐体であってもよい。以下、筐体を備える、実施の形態２に係る照明装置について説明する。図４は、実施の形態２に係る照明装置の概略構成を示す図である。なお、以下の実施の形態２では、実施の形態１との相違点を中心に説明が行われ、実施の形態１で既に説明された事項については詳細な説明が省略される場合がある。
【００６６】
図４に示されるように、照明装置１０ａは、光源部３０と、ミラー７０と、板状部材２０と、筐体６０とを備える。
【００６７】
光源部３０は、筐体６０に収容されている点を除いて、実施の形態１と同様の構成である。
【００６８】
ミラー７０は、光源部３０が発する光を板状部材２０に向けて反射する光学部材である。なお、ミラー７０は、必要に応じて設けられればよく、必須ではない。
【００６９】
板状部材２０は、実施の形態２では、筐体６０に設けられた開口部に取り付けられ、天井５０に設けられた開口部５０ａに配置されている。言い換えれば、筐体６０に設けられた開口部に取り付けられた板状部材２０は、天井５０に設けられた開口部５０ａを塞いでいる。実施の形態２では、板状部材２０に曇り止めコート層４０は設けられていないが、設けられてもよい。
【００７０】
筐体６０は、板状部材２０が取り付けられる開口部を有し、かつ、光源部３０を収容する。筐体６０は、略直方体状であるが、その他の形状であってもよい。また、筐体６０は、アルミニウムなどの金属材料により形成されてもよいし、樹脂材料により形成されてもよい。
【００７１】
このように、筐体６０内に光源部３０が収容されると、光源部３０が動作中に発する熱は、筐体６０内にこもる。つまり、筐体６０内の空気が筐体６０の外の空気の温度よりも高くなる。そうすると、筐体６０の開口部を塞いでいる板状部材２０は、光源部３０が発する熱により温められるため、板状部材２０の曇りが抑制される。
【００７２】
以上のように、曇り抑制部は、光源部３０が発する熱によって板状部材２０を温めることにより、板状部材２０の曇りを抑制してもよい。
【００７３】
これにより、光源部３０が発する熱を利用して、板状部材２０の曇りを抑制することができる。
【００７４】
具体的には、曇り抑制部は、板状部材２０が取り付けられる開口部を有し、かつ、光源部３０を収容する筐体６０であってもよい。
【００７５】
これにより、光源部３０が発する熱によって板状部材２０の曇りが抑制されるため、照明装置１０ａを利用するユーザは、鮮明な光を得ることができる。
【００７６】
（実施の形態３）
曇り抑制部は、光源部３０から板状部材２０に向かう風を発生させる送風装置であってもよい。以下、送風装置を備える、実施の形態３に係る照明装置について説明する。図５は、実施の形態３に係る照明装置の概略構成を示す図である。なお、以下の実施の形態３では、実施の形態１との相違点を中心に説明が行われ、実施の形態１で既に説明された事項については詳細な説明が省略される場合がある。
【００７７】
図５に示されるように、照明装置１０ｂは、光源部３０と、板状部材２０と、送風装置８０とを備える。
【００７８】
光源部３０及び板状部材２０は、実施の形態１と同様の構成である。なお、実施の形態３では、板状部材２０には、曇り止めコート層４０は設けられていないが、設けられてもよい。また、実施の形態２のように、照明装置１０ｂは、板状部材２０が取り付けられる開口部を有し、かつ、光源部３０及び送風装置８０を収容する筐体をさらに備えてもよい。
【００７９】
送風装置８０は、光源部３０から板状部材２０に向かう風を発生させる。これにより、光源部３０が動作中に発する熱が強制的に板状部材２０に向かい、板状部材２０が温められるため、板状部材２０の曇りが抑制される。
【００８０】
送風装置８０は、送風ファン、当該送風ファンを回転させるモータ、及び、当該モータの駆動装置などを備える。なお、送風装置８０は、光源部３０に内蔵されてもよい。この場合、送風装置８０は、光源部３０の白色光源３１から板状部材に向かう風を発生させるとよい。
【００８１】
以上のように、曇り抑制部は、光源部３０から板状部材２０に向かう風を発生させる送風装置８０であってもよい。
【００８２】
これにより、光源部３０が発する熱によって板状部材２０の曇りが抑制されるため、照明装置１０ｂを利用するユーザは、鮮明な光を得ることができる。
【００８３】
（実施の形態４）
上述のように、光源部３０は、照射パターン２５を有しない照明光を発することも可能である。なお、照明光としては、白色光が好ましいが、その他の色の光であってもよい。
【００８４】
このとき、板状部材２０は、光源部３０からの光を散乱及び透過してもよい。具体的には、板状部材２０が光源部３０からの光の少なくとも一部をレイリー散乱（レイリー散乱に近い態様の散乱を含む）させてもよい。これにより、天井５０の開口部に配置された板状部材２０が青空のような青色に見えるため、浴室１００のユーザは、浴室１００内に居ながら青空の心地良さを体感することができる。
【００８５】
以下、このような実施の形態４に係る照明装置について説明する。図６は、実施の形態４に係る照明装置の概略構成を示す図である。なお、以下の実施の形態４では、実施の形態２との相違点を中心に説明が行われ、実施の形態２で既に説明された事項については詳細な説明が省略される場合がある。
【００８６】
図５に示されるように、照明装置１０ｃは、光源部３０と、ミラー７０と、板状部材２０ｃと、筐体６０とを備える。
【００８７】
光源部３０、ミラー７０、及び筐体６０は、実施の形態２と同様の構成である。なお、実施の形態４では、光源部３０が照明光を照射した場合であっても、板状部材２０ｃが青空のように見えることで、室外から日光が差し込むような印象を与えることができる。したがって、図３で説明した映像素子３７などは必須ではないが、映像素子３７などが併用されてもよい。
【００８８】
板状部材２０ｃは、例えば、アクリルなどの透光性を有する基材中に、数ｎｍ〜数十ｎｍの大きさの粒子が分散されたものを板状に成形することにより作製される。この粒子は、例えば、金属酸化物であり、具体的には、ＺｒＯ２（ジルコニア）及びＴｉＯ２（チタニア）などのチタン族の酸化物である。また、ＺｎＯ及びＮｂ２Ｏ５などの金属酸化物が上記の粒子として用いられてもよい。
【００８９】
なお、板状部材２０ｃは、アクリルで形成された板材に、上記の粒子が分散された塗料が塗布されることにより作製されてもよい。板状部材２０ｃは、アクリルで形成された板材に上記の粒子が分散されたフィルムが張り付けられることにより作製されてもよい。
【００９０】
以上のように作製された板状部材２０ｃは、図７に示されるような光の散乱特性を有する。図７は、板状部材２０ｃの光の散乱特性を説明するための図である。
【００９１】
図７に示されるように、板状部材２０ｃは、波長が短くなるほど、当該波長の光に対する散乱率が高くなる特性を有する。図７に示される散乱率は、入射光量に対する、散乱されて出射される光量（直進透過しない光量）の割合を意味する。例えば、４５０ｎｍ付近の青色の光に対する光の散乱率は、６５０ｎｍ付近の赤色の光に対する光の散乱率よりも高い。４５０ｎｍ付近の青色の光に対する光の散乱率は、６５０ｎｍ付近の赤色の光に対する光の散乱率の２倍程度になる。
【００９２】
この結果、板状部材２０ｃにおける光の散乱によって得られる光の色温度は、板状部材２０ｃを透過する光の色温度よりも高くなり、ユーザにとっては、板状部材２０ｃが青空のような青色に見える。
【００９３】
以上のように、光源部３０は、照明光を発してもよい。板状部材２０ｃは、光源部３０が発する照明光を透過及び散乱し、散乱により得られる光の色温度は、透過により得られる光の色温度よりも高くてもよい。
【００９４】
これにより、天井５０の開口部に配置された板状部材２０が青空のような青色に見える。このため、浴室１００のユーザは、浴室１００内に居ながら青空の心地良さを体感することができる。
【００９５】
また、照明装置１０ｃにおいて筐体６０などの曇り抑制部が設けられることにより、ユーザは、鮮明な青色を得ることができる。
【００９６】
なお、実施の形態４では、板状部材２０ｃは、筐体６０の開口部に取り付けられているが、実施の形態１のように、天井５０の開口部に取り付けられてもよい。このとき、板状部材２０ｃは、天井５０の開口部に着脱可能（着脱自在）に取り付けられてもよい。
【００９７】
板状部材２０ｃは、具体的には、天井５０の開口部に着脱可能な構造を有してもよい。このような構造は、例えば、板状部材２０ｃに設けられた、取り付けねじが挿通されるねじ穴等であるが、特に限定されない。また、板状部材２０ｃは、当該板状部材２０ｃを天井５０の開口部に着脱するための部材を有してもよい。このような部材は、例えば、マグネット、及び、板状部材２０ｃと開口部の隙間において弾性変形するパッキンなどの弾性体などであるが、特に限定されない。
【００９８】
これにより、板状部材２０ｃを板状部材２０に交換することができる。ユーザは、板状部材２０及び板状部材２０ｃを選択的に使用することにより、画像の視聴と青空のような青色の照明とを変更できる。
【００９９】
（その他の実施の形態）
以上、実施の形態（実施の形態１〜４）に係る照明装置及び浴室について説明したが、本発明は、上記実施の形態に限定されるものではない。
【０１００】
例えば、上記実施の形態では、照明装置は、浴室において使用されたが、浴室以外の質室内で使用されてもよい。例えば、建物のエントランスなど、板状部材の曇りが発生しやすい場所などで使用されてもよい。
【０１０１】
また、本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１０２】
１０、１０ａ、１０ｂ、１０ｃ  照明装置
２０、２０ｃ  板状部材
２５  照射パターン
２６  文字情報
３０  光源部
４０  曇り止めコート層（コート層）
５０  天井
５０ａ  開口部
６０  筐体
８０  送風装置
１００  浴室
【図１】
2017107778.tif 000003
【図２】
2017107778.tif 000004
【図３】
2017107778.tif 000005
【図４】
2017107778.tif 000006
【図５】
2017107778.tif 000007
【図６】
2017107778.tif 000008
【図７】
2017107778.tif 000009